(57)【特許請求の範囲】
【請求項１】
バルブボディ（２）の下端部に設けた有底筒状の差込み部（５）をハウジング（３）の上面開口部（４）に差し込む制御弁（１）であって、
前記バルブボディ（２）は、前記差込み部（５）と、前記差込み部（５）の内部中空部に設けられた弁室（６）と、前記弁室（６）内に配置された弁体（７）と、前記弁室（６）の底面中央に設けられるとともに前記弁体（７）が接離自在に当接する弁座（８）と、前記弁座（８）の外周側に設けられた流体の入力口（９）と、前記弁座（８）の内周側に設けられた流体の出力口（１０）とを有し、
前記入力口（９）は、前記弁座（８）の周りに設けられた複数の切欠（１１）によって形成され、
前記切欠（１１）の外周側において前記差込み部（５）に、前記入力口（９）の開口面積を縮小して異物が前記入力口（９）を通過しにくくする壁状の入力口遮蔽部（１２）が一体成形され、
前記壁状の入力口遮蔽部（１２）が設けられることによって前記切欠（１１）の前記差込み部（５）外周面に対する開口部は、前記入力口遮蔽部（１２）の下側のみに形成され、
前記入力口遮蔽部（１２）とその下側に配置されるハウジング（３）側部位とにより前記切欠（１１）が遮蔽され、
流体は、前記入力口遮蔽部（１２）と前記ハウジング（３）側部位との間に残される前記開口部から前記切欠（１１）へ流入し、
前記壁状の入力口遮蔽部（１２）の内側における切欠（１１）内では、流体が上方へ向けて流れることを特徴とする制御弁。
【請求項２】
バルブボディ（２）に設けられるとともにハウジング（３）の開口部（４）に差し込まれる有底筒状の差込み部（５）と、前記差込み部（５）の内部中空部に設けられた弁室（６）と、前記弁室（６）内に配置された弁体（７）と、前記弁室（６）の底面中央に設けられるとともに前記弁体（７）が接離自在に当接する弁座（８）と、前記弁座（８）の外周側に設けられた流体の入力口（９）と、前記弁座（８）の内周側に設けられた流体の出力口（１０）とを有し、
前記入力口（９）は、前記弁座（８）の周りに設けられた複数の切欠（１１）によって形成され、
前記切欠（１１）が開口する前記差込み部（５）の段差外周面（５ａ）の外周側に、前記入力口（９）の開口面積を縮小して異物が前記入力口（９）を通過しにくくする別体のリング状を呈する入力口遮蔽部（１２）が嵌合され、
前記リング状の入力口遮蔽部（１２）が前記入力口（９）の外周側に嵌合されることによって前記切欠（１１）の差込み部（５）の段差外周面（５ａ）に対する開口部は、リング状の入力口遮蔽部（１２）の軸方向一方すなわちハウジング（３）側のみに形成されるとともに前記ハウジング（３）との隙間から前記切欠（１１）による前記入力口（９）へ流体が流入し、
前記リング状の入力口遮蔽部（１２）の内側における切欠（１１）内では、流体が軸方向一方から他方へ流れることを特徴とする制御弁。
【発明の詳細な説明】
【０００１】
【発明の属する技術分野】
本発明は、弁装置に係り、更に詳しくは、制御弁に関するものである。
【０００２】
【従来の技術】
従来から、図５および図６に示す制御弁１が知られており、以下のように構成されている。
【０００３】
すなわち先ず、当該制御弁１におけるバルブボディ２の下端部に、ハウジング３の上面開口部４に差し込まれる有底筒状の差込み部５が設けられており、この差込み部５の内部中空部に弁室６が設けられており、この弁室６に、上下方向に作動する弁体７が設けられている。また、上記弁室６の底面中央に、上記弁体７が接離自在に当接する弁座８が設けられており、この弁座８の外周側に流体の入力口９が設けられるとともに、弁座８の内周側に流体の出力口１０が設けられている。上記入力口９は、弁座８の周りに設けられた複数（図上四等配）の切欠１１によって構成されており、各切欠１１は差込み部５の段差外周面５ａに比較的大きな開口面積Ｓ０をもって開口している。
【０００４】
しかしながら、上記従来の制御弁１においては、上記したように流体の入力口９が差込み部５の外周面５ａに対して比較的大きな開口面積Ｓ０をもって開口しているために、流体に異物が紛れ込んでいると、この異物が容易に入力口９を通過して弁室６に侵入し、弁座８と弁体７との間に挟み込まれることがあり、これにより正常な閉弁動作が阻害されたり、弁座８や弁体７が傷付けられたりすることがある。
【０００５】
【発明が解決しようとする課題】
本発明は以上の点に鑑みて、上記したような弁座の外周側に流体の入力口を設けた制御弁において、異物が入力口を通過しにくい構造であり、もって異物が弁座と弁体との間に挟み込まれにくい構造の制御弁を提供することを目的とする。
【０００６】
【課題を解決するための手段】
上記目的を達成するため、本発明の請求項１による制御弁は、
バルブボディ（２）の下端部に設けた有底筒状の差込み部（５）をハウジング（３）の上面開口部（４）に差し込む制御弁（１）であって、
前記バルブボディ（２）は、前記差込み部（５）と、前記差込み部（５）の内部中空部に設けられた弁室（６）と、前記弁室（６）内に配置された弁体（７）と、前記弁室（６）の底面中央に設けられるとともに前記弁体（７）が接離自在に当接する弁座（８）と、前記弁座（８）の外周側に設けられた流体の入力口（９）と、前記弁座（８）の内周側に設けられた流体の出力口（１０）とを有し、
前記入力口（９）は、前記弁座（８）の周りに設けられた複数の切欠（１１）によって形成され、
前記切欠（１１）の外周側において前記差込み部（５）に、前記入力口（９）の開口面積を縮小して異物が前記入力口（９）を通過しにくくする壁状の入力口遮蔽部（１２）が一体成形され、
前記壁状の入力口遮蔽部（１２）が設けられることによって前記切欠（１１）の前記差込み部（５）外周面に対する開口部は、前記入力口遮蔽部（１２）の下側のみに形成され、
前記入力口遮蔽部（１２）とその下側に配置されるハウジング（３）側部位とにより前記切欠（１１）が遮蔽され、
流体は、前記入力口遮蔽部（１２）と前記ハウジング（３）側部位との間に残される前記開口部から前記切欠（１１）へ流入し、
前記壁状の入力口遮蔽部（１２）の内側における切欠（１１）内では、流体が上方へ向けて流れることを特徴とするものである。
【０００７】
また、本発明の請求項２による制御弁は、バルブボディ（２）に設けられるとともにハウジング（３）の開口部（４）に差し込まれる有底筒状の差込み部（５）と、前記差込み部（５）の内部中空部に設けられた弁室（６）と、前記弁室（６）内に配置された弁体（７）と、前記弁室（６）の底面中央に設けられるとともに前記弁体（７）が接離自在に当接する弁座（８）と、前記弁座（８）の外周側に設けられた流体の入力口（９）と、前記弁座（８）の内周側に設けられた流体の出力口（１０）とを有し、
前記入力口（９）は、前記弁座（８）の周りに設けられた複数の切欠（１１）によって形成され、
前記切欠（１１）が開口する前記差込み部（５）の段差外周面（５ａ）の外周側に、前記入力口（９）の開口面積を縮小して異物が前記入力口（９）を通過しにくくする別体のリング状を呈する入力口遮蔽部（１２）が嵌合され、
前記リング状の入力口遮蔽部（１２）が前記入力口（９）の外周側に嵌合されることによって前記切欠（１１）の差込み部（５）の段差外周面（５ａ）に対する開口部は、リング状の入力口遮蔽部（１２）の軸方向一方すなわちハウジング（３）側のみに形成されるとともに前記ハウジング（３）との隙間から前記切欠（１１）による前記入力口（９）へ流体が流入し、
前記リング状の入力口遮蔽部（１２）の内側における切欠（１１）内では、流体が軸方向一方から他方へ流れることを特徴とするものである。
【０００８】
上記構成を備えた本発明の制御弁においては、入力口に、その開口面積を縮小する入力口遮蔽部が設けられているために、異物が入力口を通過しにくく構成されている。
【０００９】
尚、本件出願には、以下の技術的事項が含まれる。
【００１０】
すなわち、上記したように従来の制御弁の構造は、入力部が、弁体でシールする出力部分（リップ形状部）に対して、段差が無く、真横から流体が流れ込む位置にあるため、異物が流れてきた場合、弁体とリップ部分との間に噛み込み易くなっている。これに対して、本件出願が提案する一の制御弁（電磁弁）は、上記目的を達成すべく、電磁弁の入力方向を下から流れ込むように流路を変更したものであり、また、電磁弁が組み込まれる相手側（ボディ側）との隙間を、必要な流量を確保しつつ、電磁弁出力ポートから異物が流れ出ていく最小限の寸法になるように設定したものである。
【００１１】
実施形態としては、以下のとおりである。
（１）電磁弁の入力部に横からの流れを規制する壁を設け、下からの入力とする。
（２）上記（１）項の壁をボディ側に設ける。
（３）上記（１）または（２）項の壁に代えて、リングを配置する。
【００１２】
そして、上記構成の制御弁によれば、入力部から出力部までの流体の流れが複雑になり、異物が流れ込みにくくなって、異物噛み込みの不具合発生率がかなり抑えられる。
【００１３】
【発明の実施の形態】
つぎに本発明の実施例を図面にしたがって説明する。
【００１４】
第一実施例・・・
図１は、本発明の第一実施例に係る制御弁１をハウジング３に組み付けた状態の要部断面を示している。また、図２は同制御弁１の三面図を示している。
【００１５】
当該実施例に係る制御弁１は、電磁作動形の流量制御弁であって、以下のように構成されている。
【００１６】
すなわち先ず、当該制御弁１におけるバルブボディ２の下端部に、ハウジング３の上面開口部４に差し込まれる有底筒状の差込み部５が設けられており、この差込み部５の内部中空部に弁室６が設けられており、この弁室６に、上下方向に作動する弁体７が設けられている。また、上記弁室６の底面中央に、上記弁体７が接離自在に当接する弁座８が設けられており、この弁座８の外周側に流体（液体）の入力口９が設けられるとともに、弁座８の内周側に流体の出力口１０が設けられている。
【００１７】
上記入力口９は、弁座８の周りに設けられた複数（図上八等配）の切欠１１によって構成されており、各切欠１１の外周側において差込み部５に壁状の入力口遮蔽部１２が一体成形されており、このように壁状の入力口遮蔽部１２が設けられることによって、各切欠１１の差込み部５の段差外周面５ａに対する開口面積Ｓ１が比較的小さく設定されている（Ｓ１＜Ｓ０）。各切欠１１の差込み部５の段差外周面５ａに対する開口部は、壁状の入力口遮蔽部１２の下側（ハウジング３側）のみに残されている。
【００１８】
したがって、当該制御弁１によれば、入力口９の開口面積Ｓ１が比較的小さく設定されているために、この入力部９を異物が通過しにくく構成されており、よって異物が弁室６に侵入して弁座８と弁体７との間に噛み込まれるのを防止することができる。
【００１９】
また、上記したように壁状の入力口遮蔽部１２が設けられて、その下側のみに開口部が残されると、遮蔽部１２の内側における切欠１１内では、流体が図上上方へ流れる部分が比較的長く形成されるために、流体の流路構成が複雑化されることになる。したがって異物が弁座８近傍へ達しにくくなっているため、これによっても異物が弁座８と弁体７の間に噛み込まれるのを防止することができる。
【００２０】
尚、上記したように当該制御弁１は電磁作動形流量制御弁であるため、弁体７を作動させるべく電磁コイル１３、ヨーク１４、プランジャ１５および配線１６等の構成要素が設けられている。また、上記ハウジング３には、入力口９へ通じる入力流路１７や、出力口１０から通じる出力流路１８等が設けられており、このハウジング３と当該制御弁１とによって広義の制御弁が構成されている。
【００２１】
第二実施例・・・
図３は、本発明の第二実施例に係る制御弁１をハウジング３に組み付けた状態の要部断面を示している。また、図４は同制御弁１における差込み部５の斜視図を示している。
【００２２】
当該実施例に係る制御弁１は、電磁作動形の流量制御弁であって、以下のように構成されている。
【００２３】
すなわち先ず、当該制御弁１におけるバルブボディ２の下端部に、ハウジング３の上面開口部４に差し込まれる有底筒状の差込み部５が設けられており、この差込み部５の内部中空部に弁室６が設けられており、この弁室６に、上下方向に作動する弁体７が設けられている。また、上記弁室６の底面中央に、上記弁体７が接離自在に当接する弁座８が設けられており、この弁座８の外周側に流体（液体）の入力口９が設けられるとともに、弁座８の内周側に流体の出力口１０が設けられている。
【００２４】
上記入力口９は、弁座８の周りに設けられた複数（図上四等配）の切欠１１によって構成されており、各切欠１１が開口する差込み部５の段差外周面５ａの外周側に別体のリング状を呈する入力口遮蔽部１２が嵌合されており、このようにリング状の入力口遮蔽部１２が設けられてこれが入力口９の外周側に嵌合されることによって、各切欠１１の差込み部５の段差外周面５ａに対する開口面積Ｓ３が比較的小さく設定されている（Ｓ３＜Ｓ０）。各切欠１１の差込み部５の段差外周面５ａに対する開口部は、リング状の入力口遮蔽部１２の下側（ハウジング３側）のみに残されている。
【００２５】
したがって、当該制御弁１によれば、入力口９の開口面積Ｓ３が比較的小さく設定されているために、この入力部９を異物が通過しにくく構成されており、よって異物が弁室６に侵入して弁座８と弁体７との間に噛み込まれるのを防止することができる。
【００２６】
また、上記したようにリング状の入力口遮蔽部１２が嵌合されて、その下側のみに開口部が残されると、遮蔽部１２の内側における切欠１１内では、流体が図上上方へ流れる部分が比較的長く形成されるために、流体の流路構成が複雑化される。したがって異物が弁座８近傍へ達しにくくなっているため、これによっても異物が弁座８と弁体７の間に噛み込まれるのを防止することができる。
【００２７】
尚、上記したように当該制御弁１は電磁作動形流量制御弁であるため、弁体７を作動させるべく電磁コイル１３、ヨーク１４、プランジャ１５および配線１６等の構成要素が設けられている。また、上記ハウジング３には、入力口９へ通じる入力流路１７や、出力口１０から通じる出力流路１８等が設けられており、このハウジング３と当該制御弁１とによって広義の制御弁が構成されている。
【００２８】
【発明の効果】
本発明は、以下の効果を奏する。
【００２９】
すなわち、上記構成を備えた本発明の制御弁においては、入力口に入力口遮蔽部が設けられているために、異物が入力口を通過しにくく構成されている。したがって、異物が弁室に侵入して弁座と弁体との間に噛み込まれるのを有効に防止することができ、異物の噛み込みによって正常な閉弁動作が阻害されたり、弁座や弁体が傷付けられたりするのを有効に防止することができる。また、流体の流路構成が複雑化され、異物が弁座近傍へ達しにくくなっているため、これによっても異物が弁座と弁体の間に噛み込まれるのを防止することができる。
【図面の簡単な説明】
【図１】  本発明の第一実施例に係る制御弁の要部断面図
【図２】  （Ａ）は同制御弁の正面図、（Ｂ）は同制御弁の側面図、（Ｃ）は同制御弁の底面図
【図３】  本発明の第二実施例に係る制御弁の要部断面図
【図４】  同制御弁における差込み部の斜視図
【図５】  従来例に係る制御弁の要部断面図
【図６】  同制御弁における差込み部の斜視図
【符号の説明】
１  制御弁
２  バルブボディ
３  ハウジング
４  開口部
５  差込み部
５ａ  段部外周面
６  弁室
７  弁体
８  弁座
９  入力口
１０  出力口
１１  切欠
１２  入力口遮蔽部
１３  電磁コイル
１４  ヨーク
１５  プランジャ
１６  配線
１７  入力流路
１８  入力流路
【図１】
0004217031.tif 000002
【図２】
0004217031.tif 000003
【図３】
0004217031.tif 000004
【図４】
0004217031.tif 000005
【図５】
0004217031.tif 000006
【図６】
0004217031.tif 000007